(57)【要約】【課題】  下着の種類を問わず違和感なく使用でき、しかも、平板の形態および立体成型された形態のいずれの形態においても使用できる男性用の吸収性物品を提供する。【解決手段】  吸収性物品１０は、液透過性のトップシート２６と、液不透過性のバックシートと、トップシート２６およびバックシートの間に設けられる吸収層と、を含む物品本体２０を有する。物品本体２０は、男性用下着に装着されるものであり、折り曲げられることで立体形状に成型される立体成型部２１を後部に有する。この吸収性物品１０によれば、トランクスやボクサータイプの男性用下着においても、物品本体２０を安定して装着することができ、着用者に違和感を与える心配もなく、しかも、平板の形態で物品本体２０を使用すれば、ブリーフにも装着可能である。【選択図】  図１
2014226268.tif 000002
【特許請求の範囲】
【請求項１】
液透過性のトップシートと、液不透過性のバックシートと、前記トップシートおよび前記バックシートの間に設けられる吸収層と、を含む物品本体を有する吸収性物品であって、
前記物品本体は、
男性用下着に装着されるものであり、
折り曲げられることで立体形状に成型される立体成型部を後部に有する、
ことを特徴とする吸収性物品。
【請求項２】
前記立体成型部は、
後方に向けて先細る漏斗状に成型される、
ことを特徴とする請求項１に記載の吸収性物品。
【請求項３】
前記物品本体は、
前記立体成型部を漏斗状に成型するための折り目を前後方向に沿って有し、
前記折り目は、
前記物品本体の左右方向中央部において、前記物品本体の前後方向中央部から後部にかけて設けられる、
ことを特徴とする請求項２に記載の吸収性物品。
【請求項４】
漏斗状に成型された前記立体成型部の形態を保持する保持手段を有することを特徴とする請求項２または３に記載の吸収性物品。
【請求項５】
前記保持手段は、
前記バックシートに設けられる保持テープである、
ことを特徴とする請求項４に記載の吸収性物品。
【請求項６】
前記物品本体は、
弾性的に伸縮可能な素材で構成される伸縮部を左右両側部に有し、
左右の前記伸縮部は、
前記物品本体の前後方向中央部よりも後側に配置される、
ことを特徴とする請求項１〜５のいずれかに記載の吸収性物品。
【請求項７】
前記男性用下着に対する前記物品本体の位置ずれを防止する位置ずれ防止手段を有することを特徴とする請求項１〜６のいずれかに記載の吸収性物品。
【請求項８】
前記位置ずれ防止手段は、
前記バックシートの前部に設けられ、左右方向に延びる第１の粘着層と、
前記バックシートの左右方向中央部において前記バックシートの前部から後部にかけて設けられる第２の粘着層と、
を有する、
ことを特徴とする請求項７に記載の吸収性物品。
【発明の詳細な説明】
【技術分野】
【０００１】
本発明は、吸収性物品に関し、特に、立体成型ができて男性用下着に装着される吸収性物品に関する。
【背景技術】
【０００２】
近年、高齢社会の進行に伴い、大人用の使い捨て吸収性物品の需要がますます高くなっている。特に、軽度の尿漏れは主として女性に多くみられ、生理用ナプキンと同形状の軽失禁用パッドが開発されてきている。しかし、男性の軽失禁の場合においては、女性の場合に比べて排尿位置が常に定まっていないため、男性用軽失禁パッドでは、フィット感に乏しく、しばしばパッドから尿が漏れて下着を汚すことがあった。
【０００３】
そこで、従来、男性が用いる吸収性物品として、各種の技術が提案されている（例えば、特許文献１参照）
【０００４】
特許文献１には、中央吸収体部と、中央吸収体部の左右両側に位置する一対のサイドフラップと、中央吸収体部の長手方向両端縁に位置する一対の端縁部とからなる吸収性本体を有し、袋状に形成される男性用使い捨ておむつが開示される。
【０００５】
また、特許文献２には、透液性表面シート、不透液性裏面シートおよびこの透液性表面シートと不透液性裏面シートとの間に配設された吸収体とを有する吸収性物品本体を備え、吸収性物品本体の長手方向の両端側を重ね合わせて略円錐形状に成型・保持した男性用使い捨て吸収性物品が開示される。
【０００６】
さらに、特許文献３には、液透過性のトップシートと、液不透過性のバックシートと、これら両シート間に配置される吸収体とを具備し、先端に向けて先細るサック状に形成された男性用使い捨ておむつが開示される。
【先行技術文献】
【特許文献】
【０００７】
【特許文献１】特開平９−１９４５２号公報
【特許文献２】特開２００１−１２９０１２号公報
【特許文献３】特開平９−１７３３７０号公報
【発明の概要】
【発明が解決しようとする課題】
【０００８】
しかし、上記特許文献１〜３に開示される技術においては、袋状や漏斗状の成型した部分で陰茎を包むため、着用者に違和感を与えるだけでなく、成型部から陰茎が外れることがあり、これが漏れの原因となる場合があった。
【０００９】
そして、上記特許文献１〜３に開示される技術において最も大きな問題は、使用する下着がいわゆるブリーフに限定されることである。すなわち、いわゆるトランクスやボクサータイプと呼ばれる男性用下着では、着用者の股間部と下着の間に隙間（余裕）があるため、この隙間に対して何らかの対策を講じる必要がある。しかし、このようなトランクスやボクサータイプの男性用下着に適した吸収性物品はいまだ開発されておらず、新規の技術開発が要望されている。
【００１０】
そこで、本発明の目的は、上記課題を解決するために、下着の種類を問わず違和感なく使用でき、しかも、平板の形態および立体成型された形態のいずれの形態においても使用できる男性用の吸収性物品を提供することにある。
【課題を解決するための手段】
【００１１】
このような目的を達成するため、本発明は、以下の構成によって把握される。
（１）本発明は、液透過性のトップシートと、液不透過性のバックシートと、前記トップシートおよび前記バックシートの間に設けられる吸収層と、を含む物品本体を有する吸収性物品であって、前記物品本体は、男性用下着に装着されるものであり、折り曲げられることで立体形状に成型される立体成型部を後部に有する、ことを特徴とする。
【００１２】
この構成によれば、折り曲げられることで成型される立体成型部によって、物品本体の後部と着用者の股間部との間の隙間を埋めることができるので、トランクスやボクサータイプの男性用下着においても、物品本体を安定して装着することができる。また、立体形状に形成されない（折り曲げられていない）物品本体の前部を陰茎に接触させることができるので、着用者に違和感を与える心配もない。さらに、立体成型部を成型せずに平板の形態で物品本体を使用すれば、立体成型部を必要としないブリーフにも装着可能である。
【００１３】
（２）本発明では、（１）の構成において、前記立体成型部は、後方に向けて先細る漏斗状に成型される、ことを特徴とする。
【００１４】
この構成によれば、後方に向けて先細る漏斗状に物品本体の後部を成型することで、立体成型部を容易に成型することができる。
【００１５】
（３）本発明では、（２）の構成において、前記物品本体は、前記立体成型部を漏斗状に成型するための折り目を前後方向に沿って有し、前記折り目は、前記物品本体の左右方向中央部において、前記物品本体の前後方向中央部から後部にかけて設けられる、ことを特徴とする。
【００１６】
この構成によれば、前後方向に沿って延びる折り目を基点に物品本体を折り曲げることで、立体成型部を漏斗状に容易に成型することができるので、使い勝手の良い吸収性物品を得ることができる。また、物品本体の前後方向中央部から後部にかけて折り目を設けたので、物品本体の後部は、立体成型部を成型し易い構成となる一方、物品本体の前部は、平板に保持され易い構成となる。このため、物品本体において折り目の設ける位置を合理的に設定することができる。
【００１７】
（４）本発明は、（２）または（３）の構成において、漏斗状に成型された前記立体成型部の形態を保持する保持手段を有することを特徴とする。
【００１８】
この構成によれば、保持手段によって、漏斗状に成型された立体成型部の形態をしっかりと保持できるので、立体成型部が大きく型崩れする心配がない。したがって、使用時において高い形態安定性を得ることができる。
【００１９】
（５）本発明では、（４）の構成において、前記保持手段は、前記バックシートに設けられる保持テープである、ことを特徴とする。
【００２０】
この構成によれば、バックシートに設けた保持テープによって、漏斗状に成型された立体成型部の形態を容易に保持することができる。また、使用後に物品本体を丸めて廃棄する際においても、この保持テープによって、丸めた物品本体の形態を保持することができるので、使用後においても保持テープを有効に利用することができる。
【００２１】
（６）本発明では、（１）〜（５）のいずれかの構成において、前記物品本体は、弾性的に伸縮可能な素材で構成される伸縮部を左右両側部に有し、左右の前記伸縮部は、前記物品本体の前後方向中央部よりも後側に配置される、ことを特徴とする。
【００２２】
この構成によれば、物品本体の前後方向中央部よりも後側に、左右の伸縮部を配置したので、左右の伸縮部の伸縮作用を利用して立体成型部を容易に成型することができる。
【００２３】
（７）本発明は、（１）〜（６）のいずれかの構成において、前記男性用下着に対する前記物品本体の位置ずれを防止する位置ずれ防止手段を有することを特徴とする。
【００２４】
この構成によれば、位置ずれ防止手段によって、物品本体の位置ずれを防止できるので、男性用下着において物品本体をより安定して装着することができる。
【００２５】
（８）本発明では、（７）の構成において、前記位置ずれ防止手段は、前記バックシートの前部に設けられ、左右方向に延びる第１の粘着層と、前記バックシートの左右方向中央部において前記バックシートの前部から後部にかけて設けられる第２の粘着層と、を有する、ことを特徴とする。
【００２６】
この構成によれば、立体形状に形成されず、男性用下着との接触面が幅広となる物品本体の前部では、左右方向に延びる第１の粘着層を男性用下着に接触させ、物品本体の左右方向の安定性を高める。一方、立体成型部を有し、男性用下着との接触面が幅狭となる物品本体の後部では、前後方向に延びる第２の粘着層を男性用下着に接触させ、物品本体の前後方向の安定性を高める。これにより、粘着層の位置を合理的に設定し、物品本体の位置ずれを効果的に防止することができる。
【発明の効果】
【００２７】
本発明によれば、下着の種類を問わず違和感なく使用でき、しかも、平板の形態および立体成型された形態のいずれの形態においても使用できる男性用の吸収性物品を提供することができる。
【図面の簡単な説明】
【００２８】
【図１】本発明の吸収性物品の斜視図である。
【図２】図１のＡ−Ａ線断面図である。
【図３】図１の矢印Ｂの方向から見た吸収性物品の展開図である。
【図４】図１の矢印Ｃの方向から見た吸収性物品の展開図である。
【図５】物品本体の後部を折り曲げる状態を説明する図である。
【図６】物品本体の後部における保持テープの作用を説明する図である。
【図７】（ａ）は物品本体における立体成型部の作用説明図、（ｂ）は比較例における物品本体の作用説明図である。
【発明を実施するための形態】
【００２９】
以下、添付図面を参照して、本発明を実施するための形態（以下、「実施形態」と称する）について詳細に説明する。実施形態の説明の全体を通して同じ要素には同じ番号を付している。また、実施形態において、「前」、「後」、「左」、「右」は、各々、着用者から見た方向を示す。
【００３０】
（吸収性物品１０の全体構成）
まず、吸収性物品１０の全体構成を図１、図２に基づいて説明する。
図１に示すように、実施形態の吸収性物品１０は、男性用下着１１（図２参照）に装着される物品本体２０を有し、この物品本体２０は、後方に向けて先細る漏斗状に成型される立体成型部２１を後部に有する。また、吸収性物品１０は、漏斗状に成型された立体成型部２１の形態を保持する保持テープ２２（本発明にいう「保持手段」に相当）と、男性用下着１１（図２参照）に対する物品本体２０の位置ずれを防止する粘着層２３（本発明にいう「位置ずれ防止手段」に相当）と、この粘着層２３を保護する剥離シート２５とを有する。
【００３１】
（吸収性物品１０の各部構成）
次に、吸収性物品１０の各部構成を図３、図４に基づいて説明する。
【００３２】
（物品本体２０の構成）
図３に示すように、物品本体２０は、平板の形態では、平面形状が前後方向に長い長方形状に形成される。物品本体２０は、液透過性のトップシート２６と、液不透過性のバックシート２７と、トップシート２６およびバックシート２７の間に設けられる吸収層２８とを含む。また、物品本体２０は、弾性的に伸縮可能な素材で構成される伸縮部３１（いわゆるギャザー）を左右両側部に有する。さらに、物品本体２０は、立体成型部２１を漏斗状に成型するための折り目３２とを後部に有する。
【００３３】
トップシート２６は、物品本体２０の外形形状に合わせて平面形状が長方形状に形成される。このトップシート２６の基材は、尿等の液体が吸収層２８へと移動するような液透過性を備えていればよく、例えば、サーマルボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、あるいは、これらを積層した複合シートといった材料から形成される。また、液透過性を向上させるために、トップシート２６にエンボス加工や穿孔加工を施すことが好ましい。その加工方法は、公知の方法を制限なく行うことができる。また、肌への刺激を低減させるために、トップシート２６に、ローション、酸化防止剤、抗炎症成分、ｐＨ調整剤、抗菌剤、保湿剤等を含有させることも好ましい。
【００３４】
バックシート２７は、物品本体２０の外形形状に合わせて平面形状が長方形状に形成される。このバックシート２７の基材は、吸収層２８が保持している尿等の液体が下着に漏れないような液不透過性を備えたものであればよく、不織布、樹脂フィルム、あるいはこれらを積層した複合シートといった材料から形成される。かかる不織布は、製法を特に限定せず、例えば、スパンボンドやメルトブロー不織布、あるいは、スパンボンド／メルトブロー、スパンボンド／メルトブローン／スパンボンドを積層した複合不織布およびこれらの複合材料があげられる。また、かかる樹脂フィルムとしては、例えば、ポリエステル、ポリビニルアルコール、ポリエチレン、ポリプロピレン、ポリエチレンとポリプロピレンの複合フィルム等があげられる。
【００３５】
吸収層２８の基材は、一般に生理用ナプキンやおむつ、尿パッド等の吸収性物品に使用されるものであれば特に制限はなく、例えば、フラッフパルプ、高吸水性樹脂（Ｓｕｐｅｒ  Ａｂｓｏｒｂｅｎｔ  Ｐｏｌｙｍｅｒ；以下、「ＳＡＰ」と記す。）、親水性シートといった材料から形成される。フラッフパルプとしては、木材パルプおよび合成繊維、ポリマー繊維等の非木材パルプを綿状に解繊したもの、ＳＡＰとしては、ポリアクリル酸ナトリウム、親水性シートとしては、ティシュ、吸収紙、親水性不織布があげられる。
【００３６】
トップシート２６およびバックシート２７は、全周に亘ってホットメルト接着剤を用いて固定され、これにより、吸収層２８がトップシート２６およびバックシート２７の間に封止される。ホットメルト接着剤の塗布方法は特に限定されないが、ノズルから溶融状態の接着剤を非接触で塗布するカーテンコート法やスパイラル法があり、また接触式では、スロット法など公知の方法が適用できる。
【００３７】
左右の伸縮部３１は、それぞれ、トップシート２６側において、物品本体２０の前後方向中央部よりも後側に配置される。この例では、物品本体２０の前後方向中央部から物品本体２０の後端近傍にかけて、物品本体２０の左右両側部に伸縮部３１を形成する。伸縮部３１は、スパンボンド不織布、スパンボンド／メルトブローの複合素材等の撥水性不織布から構成することができる。
【００３８】
折り目３２は、トップシート２６側からバックシート２７側に凹み、且つ、前後方向に沿って延びる溝部である。この例では、物品本体２０の前後方向中央部から後部にかけて、物品本体２０の左右方向中央部を高い圧力で圧縮した１条の圧搾部によって、折り目３２を形成する。なお、折り目３２の本数、長さ等は、この例に格別に限定されるものではなく、吸収性物品１０に求められる仕様に応じて任意に変更可能である。
【００３９】
（保持テープ２２の構成）
図４に示すように、保持テープ２２は、折り畳まれた状態で、物品本体２０の後端部の左右一側に設けられる。また、保持テープ２２は、漏斗状に成型される物品本体２０の後部の折り曲げ方向に合わせて、左右方向および前後方向に対して斜めに設けられる。このような保持テープ２２には、周知のテープファスナー（例えば、実開平６−７５４４４号公報に記載されるテープファスナー）を用いることが望ましい。この場合、物品本体２０の廃棄時止着用のテープとして保持テープ２２を再利用することができる。
【００４０】
（粘着層２３の構成）
粘着層２３は、バックシート２７において、Ｔ字状に設けられる。すなわち、この例では、左右方向に延びる第１の粘着層２３ａと、前後方向に延びる第２の粘着層２３ｂとによって、粘着層２３を構成する。第１の粘着層２３ａは、バックシート２７の前部に設けられ、第２の粘着層２３ｂは、バックシート２７の左右方向中央部においてバックシート２７の前部から後部にかけて設けられる。なお、粘着層２３の全体形状、第１の粘着層２３ａおよび第２の粘着層２３ｂそれぞれの本数や幅、長さは、この例に格別に限定されるものではなく、粘着層２３に求められる機能に応じて、任意に変更可能である。
【００４１】
（剥離シート２５の構成）
剥離シート２５は、バックシート２７側において、粘着層２３に剥離可能に設けられる。この剥離シート２５の外形形状は、粘着層２３を覆うことができる形状であれば任意であり、長方形状の他、粘着層２３に対応した形状（例えば、Ｔ字状）など各種の形状から選択可能である。剥離シート２５としては、剥離シート２５の基材に剥離剤を塗布したものが好ましく用いられる。剥離シート２５の基材は、特に制限はないが、例えば、紙、合成樹脂フィルム、不織布等を基材として用いることができる。剥離剤は、特に限定はないが、例えば、熱硬化性あるいはＵＶ（紫外線）硬化性のシリコーン系樹脂、フッ素系樹脂、イソシアネート系樹脂をあげることができる。
【００４２】
（立体成型部２１の成型方法）
続いて、立体成型部２１の成型方法を図５、図６に基づいて説明する。
立体成型部２１（図１参照）の成型に際しては、図５に示すように、まず、折り目３２を基点として物品本体２０の後部の左右一側（この例では、右側）をトップシート２６側に折り曲げ（矢印（１））、物品本体２０の後部の左右他側（この例では、左側）もトップシート２６側に折り曲げる（矢印（２））。
【００４３】
このとき、図６に示すように、左右の折り曲げた部分３３Ｌ，３３Ｒを後方に向けて先細る漏斗状に成型する。つまり、前後方向および左右方向に対して、物品本体２０の後部を斜めに折り曲げて舟形状に成型する。
【００４４】
次に、折り曲げた部分３３Ｌ，３３Ｒの後端部同士を重ね合わせ、手で保持する。そして、折り畳まれた保持テープ２２を伸ばし、重ねた折り曲げた部分３３Ｌ，３３Ｒの後端部に保持テープ２２を巻き付けて、保持テープ２２の先端をバックシート２７に貼り付ける（矢印（３））。これにより、物品本体２０の後部には、漏斗状に成型され、且つ、保持テープ２２で形態が保持された立体成型部２１が得られる。
【００４５】
（実施形態の作用・効果）
以上、説明した吸収性物品１０の効果について述べる。
図７（ａ）に示すように、吸収性物品１０によれば、折り曲げられることで成型される立体成型部２１（図中、斜線部で示す）によって、物品本体２０の後部と着用者の股間部１２との間の隙間を埋めることができる。
【００４６】
これに対し、図７（ｂ）に示すように、立体成型部の無い吸収性物品１０Ａにおいては、物品本体２０の後部と着用者の股間部１２との間の隙間によって、吸収性物品１０Ａが股間部１２に対して動き易くなるため、漏れの原因となる。
【００４７】
この点、吸収性物品１０では、立体成型部２１によって、物品本体２０の後部と股間部１２との間の隙間を埋めることができるので、トランクスやボクサータイプの男性用下着１１においても、物品本体２０を安定して装着することができる。また、立体形状に形成されない（折り曲げられていない）物品本体２０の前部を陰茎に接触させることができるので、着用者に違和感を与える心配もない。さらに、立体成型部２１を成型せずに平板の形態で物品本体２０を使用すれば、立体成型部２１を必要としないブリーフにも装着可能である。
【００４８】
また、後方に向けて先細る漏斗状に物品本体２０の後部を成型することで、立体成型部２１を容易に成型することができる。
【００４９】
また、前後方向に沿って延びる折り目３２を基点に物品本体２０を折り曲げることで、立体成型部２１を漏斗状に容易に成型することができるので、使い勝手の良い吸収性物品１０を得ることができる。
【００５０】
また、物品本体２０の前後方向中央部から後部にかけて折り目３２を設けたので、物品本体２０の後部は、立体成型部２１を成型し易い構成となる一方、物品本体２０の前部は、平板に保持され易い構成となる。このため、物品本体２０において折り目３２の設ける位置を合理的に設定することができる。
【００５１】
また、物品本体２０の前後方向中央部よりも後側に、左右の伸縮部３１を配置したので、左右の伸縮部３１の伸縮作用を利用して立体成型部２１を容易に成型することができる。
【００５２】
また、バックシート２７に設けた保持テープ２２によって、漏斗状に成型された立体成型部２１の形態をしっかりと保持できるので、立体成型部２１が大きく型崩れする心配がない。したがって、使用時において高い形態安定性を得ることができる。また、保持テープ２２として、周知のテープファスナーなどを用いることにより、使用後に物品本体２０を丸めて廃棄する際においても、保持テープ２２によって、丸めた物品本体２０の形態を保持することができる。これにより、使用後においても保持テープ２２を有効に利用することができる。
【００５３】
また、粘着層２３によって、物品本体２０の位置ずれを防止できるので、男性用下着１１において物品本体２０をより安定して装着することができる。
【００５４】
さらに、第１の粘着層２３ａによって、物品本体２０の左右方向の安定性を高めると共に、第２の粘着層２３ｂによって、物品本体２０の前後方向の安定性を高めることができるので、物品本体２０の位置ずれをより効果的に防止することができる。
【００５５】
加えて、立体形状に形成されず、男性用下着１１との接触面が幅広となる物品本体２０の前部では、左右方向に延びる第１の粘着層２３ａを男性用下着１１に接触させ、物品本体２０の左右方向の安定性を高める。一方、立体成型部２１を有し、男性用下着１１との接触面が幅狭となる物品本体２０の後部では、前後方向に延びる第２の粘着層２３ｂを男性用下着１１に接触させ、物品本体２０の前後方向の安定性を高める。これにより、粘着層２３の位置をより合理的に設定することができる。
【００５６】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００５７】
１０    吸収性物品
１１    男性用下着
２０    物品本体
２１    立体成型部
２２    保持テープ（保持手段）
２３    粘着層
２３ａ  第１の粘着層
２３ｂ  第２の粘着層
２５    剥離シート
２６    トップシート
２７    バックシート
２８    吸収層
３１    伸縮部
３２    折り目
【図１】
2014226268.tif 000003
【図２】
2014226268.tif 000004
【図３】
2014226268.tif 000005
【図４】
2014226268.tif 000006
【図５】
2014226268.tif 000007
【図６】
2014226268.tif 000008
【図７】
2014226268.tif 000009